(57)【要約】【課題】従来、カメラで子供を撮影する際子供の注意を引き付けつつ手ぶれのない撮影を可能にする技術は、カメラ本体に表示部やスピーカーそしてキャラクタを象った部材などを設けるものであった。しかし以上の技術によれば部材を着脱することが困難であった。【解決手段】玩具付撮影器具の本体（１）にアクセサリーシュー取付器具（３）を設ける。スイッチ（８）がＯＮ状態で音などを発する装置（Ｓ）を設けた玩具付撮影器具の本体（１）にさらにケーブルレリーズ（１１）を設け、そのボタン（１６）の操作に玩具付撮影器具の本体（１）のスイッチ（８）の操作とカメラ本体（４）のシャッターボタン（２３）の操作の連動性を持たせる。【選択図】図１
2007212695.tif 000002
【特許請求の範囲】
【請求項１】
玩具（１Ａ）と、この玩具（１Ａ）をカメラ本体（４）に取り付けるために玩具（１Ａ）に設けたアクセサリーシュー取付器具（３）と、からなることを特徴とする玩具付撮影器具。
【請求項２】
前記玩具（１Ａ）には、カメラ本体（４）のシャッターボタン（２３）を押すためのケーブルレリーズ（１１）が設けられ、このケーブルレリーズ（１１）には、外筒（１２）の一部を切り欠いた切欠部（Ｋ）と、この切欠部（Ｋ）において露出するケーブル（１３）に形成された突起部（１４）と、この突起部（１４）によって押圧されてＯＮ状態になる玩具のスイッチ（８）と、ＯＮ状態により音などを発生させる装置（Ｓ）を取り付けたことを特徴とする請求項１に記載の玩具付撮影器具。
【発明の詳細な説明】
【技術分野】
【０００１】
この発明は、玩具にケーブルレリーズやアクセサリーシュー取付器具を設けた玩具付撮影器具に関するものである。
【背景技術】
【０００２】
従来、カメラで子供を撮影する際子供の注意を引き付けつつ手ぶれのない撮影を可能にする技術は、カメラ本体に表示部やスピーカーそしてキャラクタを象った部材などを設け、それに映像を映し出したり、音声を出力したり、動かしたりすることであった。
【特許文献１】特開平９−２４４１３６
【発明の開示】
【発明が解決しようとする課題】
【０００３】
しかしながら、以上の技術によれば表示部やスピーカーそしてキャラクタを象った部材などの着脱は困難である。
そこで、この発明はカメラ本体に対して着脱を簡単で確実に行う機能と子供の注意を引き付けつつ手ぶれのない撮影を可能にする機能とを併せ持たせた、玩具付撮影器具を提供することを課題とする。
【課題を解決するための手段】
【０００４】
以上の課題を解決するために、第一発明は玩具（１Ａ）と、この玩具（１Ａ）をカメラ本体（４）に取り付けるために玩具（１Ａ）に設けたアクセサリーシュー取付器具（３）と、からなることを特徴とする玩具付撮影器具である。
【０００５】
第二発明は前記玩具（１Ａ）には、カメラ本体（４）のシャッターボタン（２３）を押すためのケーブルレリーズ（１１）が設けられ、このケーブルレリーズ（１１）には、外筒（１２）の一部を切り欠いた切欠部（Ｋ）と、この切欠部（Ｋ）において露出するケーブル（１３）に形成された突起部（１４）と、この突起部（１４）によって押圧されてＯＮ状態になる玩具のスイッチ（８）と、ＯＮ状態により音などを発生させる装置（Ｓ）を取り付けたことを特徴とする請求項１に記載の玩具付撮影器具である。
【発明の効果】
【０００６】
第一発明によれば、玩具（１Ａ）にアクセサリーシュー取付器具（３）を設けたので、カメラ本体（４）とは分離された玩具を簡便且つ確実にカメラ本体（４）に対して着脱することが可能になる。
【０００７】
第二発明によれば、カメラ本体（４）に取り付けるために玩具（１Ａ）とアクセサリーシュー取付器具（３）からなることを特徴とする玩具付撮影器具に、玩具（１Ａ）のスイッチ機能とカメラ本体（４）のピントを合わせる機能とシャッターを切る機能の３つの機能を合わせ持つケーブルレリーズ（１１）を設けた。
【０００８】
そのことによりカメラ本体（４）とは分離した玩具付撮影器具であっても、従来技術の内蔵型と同様に、まず子供の注意を引き付けながらカメラ本体（４）が被写体である子供にピントを合わせる動作を行い、次にシャッターチャンスが来たときにシャッターボタン（２３）を押すという一連の動作を手ぶれすることなく連続的に行うことが可能となる。
【発明を実施するための最良の形態】
【０００９】
玩具付撮影器具の本体（１）はサル型でシンバル（２）を持たせているぬいぐるみである。下部にはアクセサリーシュー取付器具（３）が設けられている。アクセサリーシュー取付器具（３）は予めカメラ本体（４）に設けられているアクセサリーシュー（５）に挿入できるような形状となっており、挿入後アクセサリーシュー取付器具（３）に設けられている回転盤（６）を回転させることで、回転盤（６）がネジ溝（７）に沿って下がり、アクセサリーシュー取付器具（３）とアクセサリーシュー（５）との接続面を締め付ける仕組みとなっている。
【００１０】
背面部には上に動かすことでＯＦＦと下に動かすことでＯＮの切り替えができるスイッチ（８）が設けられており、ＯＮ状態で両腕（９）が水平方向に動きシンバル（２）を打ち鳴らす。なお、スイッチ（８）のＯＮ方向にはさらに力が加わったとしてもある程度スイッチ（８）が動くことのできる遊び部分（１０）が設けられている。
【００１１】
さらに玩具付撮影器具の本体（１）の背面部には上下に伸びるケーブルレリーズ（１１）の中央部分が接続されており、その接続部分の外筒（１２）は切り欠かれている。この切欠部（Ｋ）において露出するケーブル（１３）には突起部（１４）が形成されており、この突起部（１４）はスイッチ（８）と接続されている。
【００１２】
ケーブルレリーズ（１１）の上部端のケーブルレリーズ操作部（１５）にはケーブル（１３）と接続したボタン（１６）が設けられており、ボタン（１６）を押すことでケーブル（１３）が前方方向に押し出される仕組みとなっている。また、このケーブルレリーズ操作部（１５）の内部にはバネ（１７）が収納されており、このバネ（１７）がボタン（１６）とケーブル（１３）の接続部分に設けられた突起部（１８）を押し戻すことで後方方向へケーブル（１３）を付勢させている。
【００１３】
ケーブルレリーズ（１１）の下部端の連結部（１９）は三角錐部分（２０）と筒状部分（２１）で構成されており中心部にはケーブル（１３）を通している。三角錐部分（２０）の表面にはネジ溝（２２）があり、カメラ本体（４）のシャッターボタン（２３）の中心に予め設けられている、ケーブルレリーズ連結用の穴（２４）に筒状部分（２１）を持って回転させながら連結できるようになっている。
【００１４】
以上によってカメラマンがケーブルレリーズ操作部（１５）のボタン（１６）を軽く押すことによって、ケーブル（１３）が前方に押し出され、玩具付撮影器具の本体（１）背面部のケーブル（１３）の突起部（１４）が接続しているスイッチ（８）をＯＮにする。
【００１５】
さらに、押し出されたケーブル（１３）は連結部（１９）を通り抜けカメラ本体（４）のシャッターボタン（２３）を半押しする。一般的なオートフォーカスカメラにおいてはシャッターボタン（２３）を半押し状態にすることで、自動的に被写体にピントを合わす。よって、この状態は玩具付撮影器具の本体（１）のスイッチ（８）がＯＮとなりシンバル（２）を打ち鳴らし子供の注意を引き付けつつ、カメラ本体（４）は被写体である子供にピントを合わせ、シャッターチャンスを窺っている状態となる。
【００１６】
次にカメラマンがシャッターチャンスを捉えた瞬間、ケーブルレリーズ操作部（１５）のボタン（１６）を強く押すことで、ケーブル（１３）がさらに押し出され、カメラ本体（４）のシャッターボタン（２３）を強く押すことでシャッターが切られる。なお、ケーブルレリーズ操作部（１５）のボタン（１６）が強く押された際、玩具付撮影器具の本体（１）のスイッチ（８）は遊び部分（１０）の範囲内で動作されるようになっており、玩具付撮影器具の本体（１）はＯＮ状態のままケーブル（１３）の動きには支障がでないようになっている。
【００１７】
さらに、カメラマンがケーブルレリーズ操作部（１５）のボタン（１６）を離せば、ケーブルレリーズ操作部（１５）のバネ（１７）が突起部（１８）を押し戻すので、ケーブル（１３）は後方に引き戻されシャッターボタン（２３）を元の何も押されていない状態に戻し、玩具付撮影器具の本体（１）のスイッチ（８）もＯＦＦに戻される。
【００１８】
「実施形態の効果」
この実施形態によれば以下の効果がある。
アクセサリーシュー取付器具（３）とカメラ本体（４）のアクセサリーシュー（５）の接続部分に回転盤（６）を用いて締め付けることで、接続時はカメラ本体（４）から玩具付撮影器具の本体（１）が外れにくくすると同時に、取り外す時には簡単に外れるような仕組みにしている。
【００１９】
玩具付撮影器具のスイッチ（８）をＯＮにすることでシンバル（２）を打ち鳴らす形態にすることで、より子供の注意をカメラ方向に引き付けることができる。また、スイッチ（８）の作動をケーブルレリーズ（１１）の動作と連動させることで、カメラマンのシャッター動作のタイミングに合わせて、シンバル（２）の音を発生させることができ、シャッターチャンスを捉えやすくなる。
【００２０】
「他の実施形態」
この実施形態によれば、アクセサリーシュー取付器具（３）を用いてアクセサリーシュー（５）に挿入する形態となっているが、アクセサリーシュー（５）のないカメラなどに装着する場合にはマジックテープ（登録商標）や吸盤などを用いてカメラ本体（４）に取付けてもよい。
【００２１】
また、シンバル（２）を打ち鳴らして子供の注意を引く形態については、音声発生装置により音を発生させたり、発光ダイオードなどを点滅させたり、玩具付撮影器具の本体（１）を揺らしたり動かしたりすることで子供の注意を引くような形態のものでもよい。
【図面の簡単な説明】
【００２２】
【図１】この発明の一実施形態全体を示す斜視図である。
【図２】玩具付撮影器具の本体（１）がカメラ本体（４）に接続させる前の玩具付撮影器具の本体（１）下部とカメラ本体（４）のアクセサリーシュー（５）付近の詳細図である。
【図３】玩具付撮影器具の本体（１）がカメラ本体（４）に接続された後の玩具付撮影器具の本体（１）下部とカメラ本体（４）のアクセサリーシュー（５）付近の詳細図である。
【図４】スイッチ（８）がＯＦＦ状態の玩具付撮影器具の本体（１）背面図である。
【図５】スイッチ（８）がＯＮ状態の玩具付撮影器具の本体（１）背面図である。
【図６】スイッチ（８）が遊び部分（１０）で動作されている状態の玩具付撮影器具の本体（１）背面図である。
【図７】ケーブルレリーズ操作部（１５）でボタン（１６）が押されていない状態の断面図である。
【図８】ケーブルレリーズ操作部（１５）でボタン（１６）が押された状態の断面図である。
【図９】ケーブルレリーズの連結部（１９）がカメラ本体（４）のシャッターボタン（２３）と連結される前の連結部（１９）とシャッターボタン（２３）付近の詳細図である。
【図１０】ケーブルレリーズの連結部（１９）がカメラ本体（４）のシャッターボタン（２３）と連結された後の連結部（１９）とシャッターボタン（２３）付近の詳細図である。
【符号の説明】
【００２３】
１  玩具付撮影器具の本体
２  シンバル
３  アクセサリーシュー取付器具
４  カメラ本体
５  アクセサリーシュー
６  回転盤
７  ネジ溝（アクセサリーシュー取付器具部）
８  スイッチ
９  両腕
１０  遊び部分
１１  ケーブルレリーズ
１２  外筒
１３  ケーブル
１４  突起部（ケーブル部）
１５  ケーブルレリーズ操作部
１６  ボタン
１７  バネ
１８  突起部（ケーブルレリーズ操作部）
１９  連結部
２０  三角錐部分
２１  筒状部分
２２  ネジ溝（連結部）
２３  シャッターボタン
２４  穴
１Ａ  玩具
Ｋ  切欠部
Ｓ  音などを発生させる装置
【図１】
2007212695.tif 000003
【図２】
2007212695.tif 000004
【図３】
2007212695.tif 000005
【図４】
2007212695.tif 000006
【図５】
2007212695.tif 000007
【図６】
2007212695.tif 000008
【図７】
2007212695.tif 000009
【図８】
2007212695.tif 000010
【図９】
2007212695.tif 000011
【図１０】
2007212695.tif 000012